(57)【要約】【課題】  顔のしわ取りにはもとより、胸、首、腹部、尻など皮膚が垂れている身体のほとんどの部位に適用することができ、一回の施術によってもほぼ完璧な効果が得られるほか、手術の失敗がほとんどなく、手術法も容易であり、傷跡の発生がない弾性シリコンを用いた成形手術法を提供する。【解決手段】  角質化した外皮、多層の表皮および表皮の下部の真皮層まで垂直に切開する段階と、表皮の下部の真皮に弾性シリコンが挿設可能なスペースを皮膚の下部に形成する段階と、弾性シリコンを挿入し、緊張させて固定する段階と、切開部を縫合する段階と、を含み、弾性シリコンとしては伸縮性が２００〜３００％であるものを使用し、顔、胸、尻への適用時には“Ｕ”字状の糸状、首への適用時にはテープ状、腹部への適用時には帯状の弾性シリコンを使用する。【選択図】図１
2006280861.tif 000002
【特許請求の範囲】
【請求項１】
角質化した外皮、多層の表皮および表皮の下部の真皮層まで垂直に切開する段階と、
表皮の下部の真皮に弾性シリコンが挿設可能なスペースを皮膚の下部に形成する段階と、
弾性シリコンを挿入し、緊張させて固定する段階と、
切開部を縫合する段階と、を含み、
弾性シリコンとしては伸縮性が２００〜３００％であるものを使用し、顔、胸、尻への適用時には“Ｕ”字状の糸状、首への適用時にはテープ状、腹部への適用時には帯状の弾性シリコンを使用することを特徴とする弾性シリコンを用いた成形手術法。
【発明の詳細な説明】
【技術分野】
【０００１】
本発明は、弾性シリコンを用いた成形手術法に係り、より詳細には、角質化した外皮、多層の表皮および表皮の下部の真皮層まで垂直に切開する段階と、表皮の下部の真皮に弾性シリコンが挿設可能なスペースを皮膚の下部に形成する段階と、弾性シリコンを挿入し、緊張させて固定する段階と、切開部を縫合する段階と、を含み、弾性シリコンとしては伸縮性が２００〜３００％であるものを使用し、顔、胸、尻への適用時には“Ｕ”字状の糸状、首への適用時にはテープ状、腹部への適用時には帯状の弾性シリコンを使用することにより、高弾力であり、引張り力が強くてたるみ部分を積極的に引っ張るだけではなく、触っても成形感がなく、一回の手術により永久的な効果が得られるほか、傷つけがない成形手術法に関する。
【背景技術】
【０００２】
成形手術とは、主として人体の部分損傷や奇形の矯正、あるいは美容のために行う外科的な手術の総称ではあるが、近年、美容のための手術が増えて成形手術の主流をなしている。
【０００３】
ある調査によれば、成形手術を受けるほとんどの患者は、自分の身体のうち不足感のある部分を修正して自信を取り戻し、自信のある社会生活を営むことにより、より多くのものを手に入れようとする前向きでかつ現実的な性向を有すると報告されている。このように、非正常的な外貌を正常的に直そうとしたり、あるいはバランスの取れた美しさを有するための努力は、健やかでかつ豊かな人生を生きようとする人の本性である。
【０００４】
頻繁に行われる美容のための成形手術としては、身体の部位別に、例えば、二重まぶた手術、目の上のタルミ取り、ひだ取り、目の下のふくらみ取りなどの目成形と；小鼻術、ワシ鼻修正、鼻翼狭小術、鼻柱角度矯正、隆鼻術、ダンゴ鼻修正などの鼻成形と；エラ削り、無顎、アゴ削り、頬骨削り、上顎前突症、額狭小術、窪んだ額、えくぼなどの顔面輪郭成形と；小耳症、耳元の伸張術、収縮耳、立ち耳、埋没耳などの耳成形と；口唇縮小術、口唇拡大術、歯茎が現れる口唇の手術などの口成形と；目もとのしわ取り、顔のしわ取り、額のしわ取り、首のしわ取り、鼻もとのしわ取りなどのしわ取り手術と；豊胸術、バスト縮小術、垂れ下がったバストの整え、乳頭陥没、バストの再建術などのバスト成形と；脂肪吸引、脂肪移植、美脚術（ふくらはぎを細く）などの体型成形と；はげ頭と；シミ取り、入れ墨取り、斑点取り、色素沈着、血管拡張症、傷あと、脱毛、外傷、やけど、手術あとなどの皮膚手術と；ワキガ・多汗症と；などが挙げられる。
【０００５】
これらの部位において、特に特定の部位の皮膚が垂れる場合や、脂肪が蓄積されて体形が見っとも無く変形した場合、近年、アプトス（ＡＰＴＯＳ）というしわ取り術が盛んに施されている。
【０００６】
ＡＰＴＯＳは、皮膚を切開することなく、特殊処理の施された糸を用いて外観上老化した皮膚と皮膚中の老化した軟部組織（ＳＭＡＳ）とを一緒に引き上げてしわを取り、若返りさせる手術法である。この方法は、簡単な局所麻酔後に針を用いることにより、メスによる手術方法の最大の欠点である手術あとの発生を極力抑えることができ、手術部位の刺激や損傷が減るだけではなく、手術による出血やそれによるむくみも減り、手術後に自然な緊張を与えて皮膚が弾力的に見えるなどの効果があり、多用されている。
【０００７】
しかしながら、ＡＰＴＯＳはしわ取りには効果があるかも知れないが、首や尻、腹部などには適用され難く、手術も困難であるだけではなく、効果の発現面からも満足のいく結果が得られないという欠点がある。
【０００８】
のみならず、顔のしわ取りに使われるとしても、以降に使われた糸の弾力が落ちてたるんでしまい、手術後に皮膚が垂れる現象がある。しかも、糸が切れて手術に失敗する場合も頻繁に起こる。
【発明の開示】
【発明が解決しようとする課題】
【０００９】
そこで、本発明の目的は、顔のしわ取りにはもとより、胸、首、腹部、尻など皮膚が垂れている身体のほとんどの部位に適用することができ、一回の施術によってもほぼ完璧な効果が得られるほか、手術の失敗がほとんどなく、手術法も容易であり、傷跡の発生がない弾性シリコンを用いた成形手術法を提供することにある。
【課題を解決するための手段】
【００１０】
上記の目的を達成するために、本発明は、角質化した外皮、多層の表皮および表皮の下部の真皮層まで垂直に切開する段階と、表皮の下部の真皮に弾性シリコンが挿設可能なスペースを皮膚の下部に形成する段階と、弾性シリコンを挿入し、緊張させて固定する段階と、切開部を縫合する段階と、を含み、弾性シリコンとしては伸縮性が２００〜３００％であるものを使用し、顔、胸、尻への適用時には“Ｕ”字状の糸状、首への適用時にはテープ状、腹部への適用時には帯状の弾性シリコンを使用することを特徴とする弾性シリコンを用いた成形手術法を提供する。
【発明の効果】
【００１１】
本発明は、角質化した外皮、多層の表皮および表皮の下部の真皮層まで垂直に切開する段階と、表皮の下部の真皮に弾性シリコンが挿設可能なスペースを皮膚の下部に形成する段階と、弾性シリコンを挿入し、緊張させて固定する段階と、切開部を縫合する段階と、を含む方法を使用するが、弾性シリコンとしては伸縮性が２００〜３００％であるものを使用し、顔、胸、尻への適用時には“Ｕ”字状の糸状、首への適用時にはテープ状、腹部への適用時には帯状の弾性シリコンを使用することにより、高弾力であり、引張り力が強くてたるみ部分を積極的に引っ張るだけではなく、触っても成形感がなく、一回の手術により永久的な効果が得られるほか、傷つけがない効果を得ることができる。
【発明を実施するための最良の形態】
【００１２】
以下、添付した図面に基づき、本発明について詳述する。
【００１３】
図１〜図５は、本発明による方法を胸、尻、顔、首、腹部に適用したときの状態を示す概略図であり、図６〜図８は、弾性シリコンのタイプを示す概略図である。
【００１４】
本発明に係る弾性シリコンを用いた成形手術法は、角質化した外皮、多層の表皮および表皮の下部の真皮層まで垂直に切開する段階と、表皮の下部の真皮に弾性シリコンが挿設可能なスペースを皮膚の下部に形成する段階と、弾性シリコンを挿入し、緊張させて（スリング）固定する段階と、切開部を縫合する段階と、を含み、弾性シリコンとしては伸縮性が２００〜３００％であるものを使用し、顔、胸、尻への適用時には“Ｕ”字状の糸状、首への適用時にはテープ状、腹部への適用時には帯状の弾性シリコンを使用するところにその特徴がある。
【００１５】
本発明に使われる弾性シリコンとしては、人体に無害であって医療用として使えるものであればいずれも採用可能であるが、好ましくは、弾性、つまり、伸縮性が２００〜３００％であるものを使用する。弾性が２００％未満である場合には、施術後に弾性シリコンが切れたり、弱弾性であるために垂れた皮膚を緊張させ難いため、成形効果があまり得られなくなる。弾性が３００％を超える場合には、真皮中に弾性シリコンを挿入して皮膚を緊張させ難く、真皮をあまりにも強く緊張させて傷つけてしまう。
【００１６】
本発明に使われる弾性シリコンはその形状に特に制限はないが、好ましくは、顔、胸、尻への適用時には“Ｕ”字状の糸状、首への適用時にはテープ状、腹部への適用時には帯状の弾性シリコンを使用する。
【００１７】
特に、図６に示すように、顔、胸、尻に適用される糸は、その両端部にテーパ状の楕円形を呈する挿入誘導部１１を形成して弾性シリコンの挿入を容易にしている。また、顎スリングの場合には、好ましくは、断面の長側直径が２ｍｍ、短側直径が１ｍｍの楕円形の“Ｕ”字状糸を使用する。さらに、頬、額、胸スリングの場合には直径が１ｍｍ〜２ｍｍである円形断面の“Ｕ”字状糸が、そして尻スリングの場合には直径が２．５ｍｍである円形断面の“Ｕ”字状糸が好適に使われる。さらに、糸の太さや断面形状は、使用用途、使い方、成形患者の皮膚状態、さらには、真皮組織の厚さや形状によって変更可能である。但し、尻スリングの場合には、尻の運動量が大であるために他の部位よりも太い糸を用いた方が、安定性の側面で好ましい。
【００１８】
糸を“Ｕ”字状に形成すれば、緊張時に両側に均一な力が伝わるため、片方だけが伸び過ぎて糸が切れたり、非伸張側がたるんでしまうなどの不都合が防止できる。
【００１９】
のみならず、図７に示すように、首スリングに使われるテープ状の弾性シリコンは、両端部に楕円形の挿入誘導部１１を形成し、テープの途中に多数の通孔１２を形成することにより、挿入誘導部１１により首切開後の弾性シリコンの挿入を容易にしている。また、弾性シリコンの内側組織が通孔１２を通って突出されて弾性シリコンの外側の組織と結合されることにより、その形状が一層堅く保持可能となる。さらに、挿入誘導部１１は他の部分よりも厚くすることにより、引張り易くてつかみ易くする。特に制限はないが、長さが２６０ｍｍ、挿入誘導部１１の厚さが１．２ｍｍ、挿入誘導部１１を除く部分の厚さが０．８ｍｍ、広さが１３ｍｍ〜１０ｍｍであるものが施術の容易性の面で好適に使われる。また、好ましくは、通孔１２は、広さが１３ｍｍである場合には長側直径が３．５ｍｍ、短側直径が１．３ｍｍである楕円形に、広さが１０ｍｍである場合には長側直径が２．６ｍｍ、短側直径が１．０ｍｍである楕円形に形成する。好ましくは、広さが１３ｍｍのものは比較的年配で、首の皮膚のたるみが目立つ場合に使用し、１０ｍｍのものは比較的若くて首の皮膚のたるみが目立たない場合に使用する。
【００２０】
一方、図８に示すように、腹部スリングに使われる帯状の弾性シリコンは、断面が半円形であり、両側部が中央部よりも格段に短く、両側部間の間隔は約１５ｍｍであり、断面の直径が６ｍｍであり、長さが２４０ｍｍであるものを使用することが有効である。
【００２１】
図１〜図３に示すように、顔、胸、尻の施術は、まず、角質化した外皮、多層の表皮および表皮の下部の真皮層まで垂直に切開し、表皮の下部の真皮に弾性シリコンが挿設可能なスペースを皮膚の下部に形成した後、糸状の弾性シリコンを挿入し、緊張させた（スリング）後に固定し、切開部を縫合する方法により行う。このとき、表皮の下部の真皮に弾性シリコンが挿設可能なスペースを形成することが困難な場合には、弾性シリコンの挿入固定部とは反対の位置に少なくとも一ヶ所をさらに垂直に切開することにより、弾性シリコンの挿入を容易に行う。このとき、切開、および弾性シリコンが挿設可能なスペースの形成は、本発明が属する技術分野において通常使われる医療用器具により行われる。また、糸の挿設は、ＡＰＴＯＳの方法と同様にして行われる。皮膚が所望の形状になるまで挿設済み糸を緊張させ、糸の先端部を筋肉と縫合し、残りの部分を切断した後に切開部を縫合する。弾性シリコンは、所望の成形方式に応じて少なくとも１以上を挿入する。
【００２２】
そして、図４および図５に示すように、首と腹部の施術時には、テープまたは帯状の弾性シリコン（図７及び図８参照）を挿設するために一直線に表皮部を切開し、テープまたは帯状の弾性シリコンが挿設可能な広さで表皮の下端部を水平に切開し、弾性シリコンを挿入して緊張させた後、挿入誘導部１１を除く部分の一部を筋肉と重ねて切開部を縫合する方法による。
【００２３】
特に、腹部の施術時には、好ましくは、へその下部に弾性シリコンを挿設するが、腹筋の真上に弾性シリコンを載置した後、両側の骨盤に両端部を固定して突き出た腹部を凹ませる。
【００２４】
上述したように、本発明による方法を顔に適用するときには、ＡＰＴＯＳ方法に使われる糸よりも高弾力で、且つ、引張り力が強い弾性シリコンを使用することにより、一層積極的にたるみ部分を緊張させることができ、弾性シリコンのあとが触っても分からなくないために有用である。
【００２５】
さらに、既存のバスト固定術は傷つけが激しいために手術を決心し難く、時間が経つにつれて再発が起こるが、本発明の方法を適用すれば、傷つけず、スリングの効果が永久的であるために再発がほとんどない。特に、尻に適用すれば、高弾力で、且つ、座るときの伸縮性に優れたシリコンの使用により、ヒップアップ効果が一層目立つ。これにより、既存のＡＰＴＯＳの方法における、座るときに皮膚が張られて手術結果に満足できなかった問題が解決可能になる。
【００２６】
そして、テープ状の弾性シリコンを、片方の耳もとから首を通過して反対側の耳もとまで張架すると、垂れた首線が容易にアップされる。
【図面の簡単な説明】
【００２７】
【図１】本発明の方法を胸に適用した時の状態を示す概略図である。
【図２】本発明の方法を尻に適用した時の状態を示す概略図である。
【図３】本発明の方法を顔に適用した時の状態を示す概略図である。
【図４】本発明の方法を首に適用した時の状態を示す概略図である。
【図５】本発明の方法を腹部に適用した時の状態を示す概略図である。
【図６】顔、胸、尻への適用時に使われる弾性シリコンのタイプを示す概略図である。
【図７】首への適用時に使われる弾性シリコンのタイプを示す概略図である。
【図８】腹部への適用時に使われる弾性シリコンのタイプを示す概略図である。
【符号の説明】
【００２８】
１０：弾性シリコン、１１：挿入誘導部、１２：通孔。
【図１】
2006280861.tif 000003
【図２】
2006280861.tif 000004
【図３】
2006280861.tif 000005
【図４】
2006280861.tif 000006
【図５】
2006280861.tif 000007
【図６】
2006280861.tif 000008
【図７】
2006280861.tif 000009
【図８】
2006280861.tif 000010